(57)【要約】      （修正有）【課題】組み立て時の手間と時間を削減でき、耐久性が高く、使用後・リサイクル前に嵩張らないように展開できるパレットを提供する。【解決手段】パレットは天板と天板の下面に接合された桁とを含み、桁は、長方形の段ボールが、左端及び右端からそれぞれ内側へ順に第１領域１〜第５領域５が折り罫７を介して折り曲げられて、左右２連の四角筒体が形成され、２連の四角筒体が離間しないように２連の四角筒体に係合する離間防止部材８が設けられる。【選択図】図３
0003227248.tif 000002
【実用新案登録請求の範囲】
【請求項１】
天板（１４）と、天板（１４）の下面に接合された桁（１３）とを含むパレットにおいて、桁（１３）が次の構造であることを特徴とするパレット。
長方形の段ボールが、左端及び右端からそれぞれ内側へ折り曲げられて、左右２連の四角筒体が形成されており、
左右２連の四角筒体が離間しないように左右２連の四角筒体に係合する離間防止部材（８）が設けられてなる構造。
【請求項２】
天板（１４）と、天板（１４）の下面に接合された桁（１３）とを含むパレットにおいて、桁（１３）が次の構造であることを特徴とするパレット。
長方形の段ボールに、左端及び右端からそれぞれ内側へ順に第１領域（１）、第２領域（２）、第３領域（３）、第４領域（４）及び第５領域（５）が折り罫（７）を介して区画形成され、左右の第５領域（５，５）の間に中間領域（６）が折り罫（７）を介して区画形成され、
左右それぞれの第１領域（１）、第２領域（２）、第３領域（３）、第４領域（４）及び第５領域（５）が順に内側へ向けて折り罫で直角に折り曲げられて、左右それぞれの第４領域（４）が上板となり、左右それぞれの第１領域（１）と第５領域（５）とが重なって外壁となり、左右それぞれの第２領域（２）と中間領域（６）が重なって下板となり、左右の第３領域（３，３）どうしが重なって隔壁となった左右２連の四角筒体が形成されており、
左右２連の四角筒体内に挿入されて、左右の第３領域（３，３）どうしが離間しないように左右の第３領域（３，３）を掴んで係合する、離間防止部材（８）が設けられてなる構造。
【請求項３】
離間防止部材（８）は長方形のボール紙からなり、離間防止部材（８）の両側端面は左右の第１領域（１）の内面に接触し、離間防止部材（８）の下辺の中央部から中間高さまでに、左右の第３領域（３，３）を掴んで係合するための係合用スリット（９）が形成されている請求項２記載のパレット。
【請求項４】
第４領域（４）から第３領域（３）の中間高さまでに、離間防止部材（８）を挿入するための挿入用スリット（１０）が形成されている請求項３記載のパレット。
【請求項５】
第２領域（２）に、離間防止部材（８）の下端部を嵌入させるための嵌入用スリット（１１）が形成されている請求項４記載のパレット。
【請求項６】
中間領域（６）に、離間防止部材（８）の下端部を嵌入させるための第２嵌入用スリット（１２）が形成されている請求項５記載のパレット。
【請求項７】
桁（１３）の長さは、天板（１４）の長さと同一である請求項１〜６のいずれか一項に記載のパレット。
【請求項８】
桁の長さ（１３）は、天板（１４）の長さの半分未満であり、天板（１４）の長さ方向に複数の桁（１３）が分散配置されている請求項１〜６のいずれか一項に記載のパレット。
【請求項９】
パレットは、桁（１３）の下面に接合された底板（１５）を含む請求項１〜８のいずれか一項に記載のパレット。
【考案の詳細な説明】
【技術分野】
【０００１】
本考案は、運搬する貨物を載せるパレットに関するものである。
【背景技術】
【０００２】
パレットは、天板と、天板の下面に接合された桁（脚）とを含み構成され、さらに桁の下面に接合された底板を含むものもある。近年、段ボール板を用いて製造したパレットが、サイクル性の観点から、広く使用されるようになってきている。
【０００３】
特許文献１には、パレットの脚として利用することができる、段ボール板を用いたスペーサーが記載されている。このスペーサーは、１枚の段ボール板の左右にそれぞれ第１〜第５の領域を配置し、中央部分に中間領域を配置し、左右の第１〜第５の領域を折り曲げ路に沿って折り曲げて四角形状の内部空間を形成し、この内部空間内に第１の領域を収容した状態で固定したものである。このスペーサーには、内部空間が第１の領域で埋まった態様と、内部空間の対角線に沿って第１の領域を収容した態様とがある。
【０００４】
そして、すべての層間に接着剤を充填して、乃至、左右の第３の領域どうしの接触面に接着剤を充填して、スペーサーとしての構造を保つようにしている。
【先行技術文献】
【特許文献】
【０００５】
【特許文献１】実願平４−５９３５６号（実開平６−１４０５９号）のＣＤ−ＲＯＭ
【考案の概要】
【考案が解決しようとする課題】
【０００６】
しかし、特許文献１に記載されたスペーサーは、少なくとも左右の第３の領域どうしの接触面に接着剤を充填して、スペーサーとしての構造を保つようにしているため、組み立て時に接着の手間と時間がかかる、接着剤の劣化により耐久性が低下する、使用後・リサイクル前に接着剤が剥がれないために四角筒状のままで嵩張る、等の問題がある。
【０００７】
そこで、本考案の目的は、組み立て時の手間と時間を削減でき、耐久性が高く、使用後・リサイクル前に嵩張らないように展開できるパレットを提供することにある。
【課題を解決するための手段】
【０００８】
（１）第１の本考案は、天板と、天板の下面に接合された桁とを含むパレットにおいて、桁が次の構造であることを特徴とする。
長方形の段ボールが、左端及び右端からそれぞれ内側へ折り曲げられて、左右２連の四角筒体が形成されており、
左右２連の四角筒体が離間しないように左右２連の四角筒体に係合する離間防止部材が設けられてなる構造。
【０００９】
（２）第２の本考案は、天板と、天板の下面に接合された桁とを含むパレットにおいて、桁が次の構造であることを特徴とする。
長方形（正方形を含む）の段ボールに、左端及び右端からそれぞれ内側へ順に第１領域、第２領域、第３領域、第４領域及び第５領域が折り罫を介して区画形成され、左右の第５領域の間に中間領域が折り罫を介して区画形成され、
左右それぞれの第１領域、第２領域、第３領域、第４領域及び第５領域が順に内側へ向けて折り罫で直角に折り曲げられることにより、左右それぞれの第４領域が上板となり、左右それぞれの第１領域と第５領域とが重なって外壁となり、左右それぞれの第２領域と中間領域が重なって下板となり、左右の第３領域どうしが重なって隔壁となった左右２連の四角筒体が形成され、
左右２連の四角筒体内に挿入されて、左右の第３領域どうしが離間しないように左右の第３領域を掴んで係合する、離間防止部材が設けられてなる構造。
【００１０】
ここで、離間防止部材は長方形（正方形を含む）のボール紙からなり、離間防止部材の両側端面は左右の第１領域の内面に接触し、離間防止部材の下辺の中央部から中間高さまでに、左右の第３領域を掴んで係合するための係合用スリットが形成されている態様を例示できる。
【００１１】
さらに、第４領域から第３領域天板の中間高さまでに、離間防止部材を挿入するための挿入用スリットが形成されている態様を例示できる。
【００１２】
この態様では、第２領域に、離間防止部材の下端部を嵌入させるための嵌入用スリットが形成されていることが好ましい。
【００１３】
さらに、中間領域にも、離間防止部材の下端部を嵌入させるための第２嵌入用スリットが形成されていることが好ましい。
【００１４】
桁の長さは、天板の長さと同一である態様を例示できる。
【００１５】
桁の長さは、天板の長さの半分未満であり、天板の長さ方向に複数の桁が分散配置されている態様を例示できる。
【００１６】
パレットは、桁の下面に接合された底板を含む態様を例示できる。
【００１７】
［作用］
離間防止部材が、左右２連の四角筒体が離間しないように左右２連の四角筒体に係合するため、従来例のように左右を接着剤で接着する必要がなくなる。これにより、組み立て時の接着の手間と時間を削減できる。また、劣化する接着剤を用いないことで、耐久性が高くなる。また、使用後・リサイクル前には、離間防止部材の係合を外すことにより、左右２連の四角筒体を離間させることができ、元の段ボールに展開できる。
【考案の効果】
【００１８】
本考案のパレットは、組み立て時の手間と時間を削減でき、耐久性が高く、使用後・リサイクル前に嵩張らないように展開できるという優れた効果を奏する。
【図面の簡単な説明】
【００１９】
【図１】図１は実施例１のパレットの斜視図である。
【図２】図２は同パレットの分解斜視図である。
【図３】図３は同パレットの桁を示し、（ａ）は展開図、（ｂ）は第１領域及び第２領域を折り曲げたときの斜視図、（ｃ）は第３領域及び第４領域を折り曲げたときの斜視図、（ｄ）は第５領域を折り曲げてから離間防止部材を挿入するときの斜視図である。
【図４】図４は同離間防止部材を挿入した桁を示し、（ａ）は端面図、（ｂ）は断面図である。
【図５】図５は実施例２を示し、（ａ）はパレットの斜視図、（ｂ）は桁の斜視図である。
【考案を実施するための形態】
【００２０】
（１）天板
天板の材料及び構造等は、特に限定されないが、ボール紙、段ボール等の紙製のもの、また、複数枚のボール紙又は段ボール紙を貼り合わせたもの等が好ましい。
天板の平面視形状は、特に限定されないが、長方形（正方形を含む）が取り扱いやすく、その寸法は５００〜２０００ｍｍ×５００〜２０００ｍｍが好ましい。
天板と桁との接合手段は、特に限定されないが、接着剤による接着を例示できる。
【００２１】
（２）底板
底板の材料及び構造等は、特に限定されないが、ボール紙、段ボール等の紙製のものが好ましい。
底板の底面視形状は、特に限定されず、天板と同一の長方形（正方形を含む）でもよいし、天板より小さいものを複数用いてもよい。
底板と桁との接合手段は、特に限定されないが、接着剤による接着を例示できる。
【００２２】
（３）桁
桁の構造は、上記第１の考案の構造であればその余は特に限定されず、例えば、上記第２の考案の構造における第１領域を省略したものや第１領域及び第２領域を省略したものでもよい。
離間防止部材は、上で例示した態様に限定されず、例えば、左右２連の四角筒体の開口した端面から左右の第３領域を掴む態様にする等、適宜変更できる。
【実施例】
【００２３】
以下、実施例について図面を参照して説明する。なお、実施例の各部の構造、形状、数等は例示であり、考案の要旨から逸脱しない範囲で適宜変更できる。
【００２４】
［実施例１］
図１〜図４に示す実施例１のパレット１６は、天板１４と、天板１４の下面に接合された桁１３と、桁１３の下面に接合された底板１５を含み構成されている。
【００２５】
天板１４は、例えばボール紙を２枚貼り合わせた構造である。天板１４の平面視形状寸法は、例えば１１００ｍｍ×１１００ｍｍの長方形状（正方形）である。天板１４と桁１３との接合は、接着剤による接着である。
【００２６】
底板１５は、例えばボール紙からなる。底板１５の平面視形状寸法は、天板１４と同一である。底板１５と桁１３との接合は、接着剤による接着である。
【００２７】
桁１３は、天板１４を支えるものであるとともに、天板１４の下にフォークリフト等のフォークを挿し入れる空間を作るスペーサーでもある。
本実施例の桁１３の長さは、天板１４の長さの１／３未満であり、天板１４の長さ方向に３つの桁１３が１列に分散配置されている。そして、天板１４の幅方向に、３列の桁１３が配置されており、すなわち全９つの桁１３が使用されている。
桁１３の構造は、次のとおりである。
【００２８】
図３及び図４に示すように、長方形の段ボールに、左端及び右端からそれぞれ内側へ順に第１領域１、第２領域２、第３領域３、第４領域４及び第５領域５が折り罫７を介して区画形成され、左右の第５領域５，５の間に中間領域６が折り罫７を介して区画形成されている。
【００２９】
左右それぞれの第１領域１、第２領域２、第３領域３、第４領域４及び第５領域５が順に内側へ向けて折り罫７で直角に折り曲げられることにより、左右それぞれの第４領域４が上板となり、左右それぞれの第１領域１と第５領域５とが重なって外壁となり、左右それぞれの第２領域２と中間領域６が重なって下板となり、左右の第３領域３，３どうしが重なって隔壁となった左右２連の四角筒体が形成されている。同四角筒体の両端面は開口している。折り罫７は、段ボールの内面側を線状に押し込んで形成されている。
【００３０】
左右２連の四角筒体内に挿入されて、左右の第３領域３，３どうしが離間しないように左右の第３領域３，３を掴んで係合する、離間防止部材８が設けられている。離間防止部材８は長方形のボール紙からなり、離間防止部材８の両側端面は左右の第１領域１の内面に接触し、離間防止部材８の下辺の中央部から中間高さまでに、左右の第３領域３，３を掴んで係合するための係合用スリット９が形成されている。
【００３１】
左右それぞれの第４領域４から第３領域３の中間高さまでに、離間防止部材８を挿入するための挿入用スリット１０が形成されている。
左右それぞれの第２領域２に、離間防止部材８の下端部を嵌入させるための嵌入用スリット１１が形成されている。
中間領域６にも、離間防止部材８の下端部を嵌入させるための第２嵌入用スリット１２が形成されている。
【００３２】
本実施例のパレット１６は、次のように組み立てられる。
（１）図３（ａ）〜（ｄ）に示すように、左右それぞれの第１領域１，１、第２領域２，２、第３領域３，３、第４領域４，４及び第５領域５，５を順に内側へ向けて折り罫７で直角に折り曲げて、左右２連の四角筒体を形成する。
（２）図３（ｄ）及び図４に示すように、離間防止部材８を、挿入用スリット１０から挿入し、係合用スリット９により左右の第３領域３，３を掴んで係合し、離間防止部材８の下端部を上下に連続した嵌入用スリット１１と第２嵌入用スリット１２に嵌入させる。これで桁１３が出来上がる。
（３）図１及び図２に示すように、天板１４と桁１３と底板１５とを重ね合わせて接着剤で接着する。
【００３３】
本実施例のパレット１６は、組み立て時の手間と時間を削減でき、耐久性が高く、使用後・リサイクル前に嵩張らないように展開できる。
【００３４】
［実施例２］
図５に示す実施例２のパレット２０は、桁１３の長さが天板１４の長さと同一であり、離間防止部材８及び各スリット１０，１１，１２が長さ方向の複数箇所（例えば３箇所）に設けられている点においてのみ実施例１と相違し、その他は実施例１と共通するものである。実施例２によっても、実施例１と同様の効果が得られる。
【００３５】
なお、本考案は前記実施例に限定されるものではなく、考案の要旨から逸脱しない範囲で適宜変更して具体化することができる。
【符号の説明】
【００３６】
１    第１領域
２    第２領域
３    第３領域
４    第４領域
５    第５領域
６    中間領域
７    折り罫
８    離間防止部材
９    係合用スリット
１０    挿入用スリット
１１    嵌入用スリット
１２    第２嵌入用スリット
１３    桁
１４    天板
１５    底板
１６    パレット
２０    パレット
【図１】
0003227248.tif 000003
【図２】
0003227248.tif 000004
【図３】
0003227248.tif 000005
【図４】
0003227248.tif 000006
【図５】
0003227248.tif 000007